(57)【要約】      （修正有）【課題】保持させるプリント基板の幅が変更されても、設計変更をする必要のないテレビジョンキャビネットを提供する。【解決手段】幅の異なるプリント基板３０，１３０を保持するガイド部のレール２０ｂ１、２０ｃ１をそれぞれ高さを変えて形成することにより、ガイド部と干渉することなくプリント基板３０，１３０のいずれかを保持することが可能である。さらに、同一のキートップ１３でプリント基板３０，１３０に実装されたタクトスイッチ３０ａ，１３０ａを押し下げることが可能である。従って、幅の異なるプリント基板３０，１３０を相互に差し替えても、テレビジョンキャビネット１０はキートップ１３も含めて全く設計変更することなく対応することができる。【選択図】図４
2005079292.tif 000002
【特許請求の範囲】
【請求項１】
前面パネルから表示面を露出させつつ筐体内部に保持された受像管と、上記前面パネルにおける上記受像管の下方に備えられたキートップと、同キートップにて押下可能なタクトスイッチが実装されるともに筐体内部にて底辺に対して略平行に保持されるプリント基板とを備えるテレビジョンキャビネットにおいて、
幅方向に略垂直となるように上記底面から立設した矩形板状の第一のリブ板対と、同第一のリブ板対に形成され開口部が内側に向けて対向し上記プリント基板の幅方向端面を外側から挟み込む略コの字状の第一のレール対とで構成され、所定幅の上記プリント基板をガイドして上記底辺に対して所定の高さで保持する第一のガイド部材対と、
上記第一のリブ板対の幅方向外側もしくは同じ位置において幅方向に略垂直となるように上記底面から立設した矩形板状の第二のリブ板対と、同第二のリブ板対に形成され開口部が内側に向けて対向し上記プリント基板の幅方向端面を外側から挟み込む略コの字状の第二のレール対とで構成され、当該第二のリブ板対の一方は上記第一のガイド部材対を構成する上記第一のリブ板対の一方と共通し、上記プリント基板をガイドして上記底辺に対して上記第一のガイド部材よりも高い位置で上記プリント基板を保持する第二のガイド部材対と、
上記第一のガイド部材対の内側に形成され、同上記第一のガイド部材対に保持された上記プリントを下方から支持する補強リブとを備え、
上記キートップには、上記第一のガイド部材対および上記第二のガイド部材対に保持された上記プリント基板に実装された厚みが薄い上記タクトスイッチいずれにも、それぞれの先端から所定の距離まで厚みが薄く形成された当接部が対峙する一対の押下板が背面に向けて突設され、同キートップが上記前面パネルに対して傾動することにより、いずれのタクトスイッチも押下可能であることを特徴とするテレビジョンキャビネット。
【請求項２】
前面パネルに備えられたキートップと、同キートップにて押下可能なタクトスイッチが実装されるともに、筐体内部にて底面に対して略平行に保持されるプリント基板とを備える電気機器のキャビネットにおいて、
所定幅の上記プリント基板の幅方向両端で対となって同プリント基板をガイドして上記底辺に対して所定の高さで保持する第一のガイド部材対と、
上記第一のガイド部材対の幅方向外側もしくは同じ位置に設けられるとともに、上記プリント基板の幅方向両端で対となって同プリント基板をガイドして上記底辺に対して上記第一のガイド部材よりも高い位置で上記プリント基板を保持する第二のガイド部材対とを備え、
上記キートップは、上記第一のガイド部材対および上記第二のガイド部材対に保持されたいずれの上記プリント基板に実装された上記タクトスイッチも押下可能であることを特徴とする電気機器のキャビネット。
【請求項３】
上記キートップには上記第一のガイド部材対および上記第二のガイド部材対に保持されたいずれの上記プリント基板に実装された上記タクトスイッチにそれぞれにの先端に形成された当接部が対峙する一対の押下板が背面に向けて突設され、同キートップが上記前面パネルに対して傾動することにより、いずれのタクトスイッチも押下可能であることを特徴とする請求項２に記載の電気機器のキャビネット。
【請求項４】
上記当接部は先端から所定の距離まで厚みが薄く形成されていることを特徴とする請求項３に記載の電気機器のキャビネット。
【請求項５】
上記タクトスイッチは、厚みが薄く形成されていることを特徴とする請求項２から請求項４のいずれかに記載の電気機器のキャビネット。
【請求項６】
上記第一のガイド部材対および上記第二のガイド部材対は、
幅方向に略垂直となるように上記底面から立設した矩形板状の第一および第二のリブ板対と、
同各リブ板対において、開口部が内側に向けて対向し上記プリント基板の幅方向端面を外側から挟み込む略コの字状の第一および第二のレール対とを具備することを特徴とする請求項２から請求項５のいずれかに記載の電気機器のキャビネット。
【請求項７】
上記第二のリブ板対の一方は、上記第一の上記リブ板対の一方と共通することを特徴とする請求項６に記載の電気機器のキャビネット。
【請求項８】
上記第一のガイド部材対の内側には、同上記第一のガイド部材対に保持された上記プリントを下方から支持する補強リブが備えられることを特徴とする請求項２から請求項７のいずれかに記載の電気機器のキャビネット。
【請求項９】
上記第一のガイド部材対の上端部には上記第二のガイド部材対に保持された上記プリント基板を下から支持する凸部が形成されることを特徴とする請求項２から請求項８のいずれかに記載の電気機器のキャビネット。
【発明の詳細な説明】
【技術分野】
【０００１】
本発明は、テレビジョンキャビネットおよび電気機器のキャビネットに関し、特に、前面パネルにキートップが備えられるテレビジョンキャビネットおよび電気機器のキャビネットに関する。
【背景技術】
【０００２】
従来、この種のテレビジョンキャビネットおよび電気機器のキャビネットはプリント基板を挿入させるためのレールを間隔を変えて複数組形成したものが知られている（例えば、非特許文献１の図１参照。）。また、プリント基板の保持機構を高さを変えて複数設けたものが知られている（例えば、特許文献１、参照。）。
前者においては、プリント基板の奥方部分の幅に変更があってもキャビネットの設計変更をしなくても済む。後者においては、複数のプリント基板の大きさに適合した保持機構を高さを変えて複数設けておけば、プリント基板の幅に変更があってもプリント基板のキャビネットの設計変更をしなくても済む。
【発明の開示】
【発明が解決しようとする課題】
【０００３】
しかしながら、前者においては複数組のレールが同じ高さで形成されるため、間隔が狭いレールが、幅の広いプリント基板の挿入の妨げとなる場合があった。すなわち、挿入方向の最前部には最も間隔が狭く形成されたレールより幅の狭いプリント基板ないしはプリント基板の一部しか挿入することができないという課題があった。一方、後者においてはプリント基板の大きさの変更に伴って、プリント基板の保持高さが変わることとなる。従って、プリント基板にタクトスイッチを備えた場合には、プリント基板の保持高さに合わせてタクトスイッチを操作するためのキートップの設計変更しなければならないという課題があった。すなわち、プリント基板の大きさの変更によってプリント基板の保持機構の設計変更を行う必要がないものの、タクトスイッチの高さが変更されてしまうためにキートップを含めたキャビネットの設計変更を余儀なくされるという課題があった。
【０００４】
本発明は上記課題にかんがみてなされたもので、プリント基板の大きさに変更があっても設計変更をする必要がないテレビジョンキャビネットおよび電気機器のキャビネットの提供を目的とする。
【非特許文献１】実用新案登録第３０６８４６１号公報
【特許文献１】特開２０００−１８３５６７号公報
【課題を解決するための手段】
【０００５】
上記目的を達成するため、請求項１にかかる発明は、前面パネルから表示面を露出させつつ筐体内部に保持された受像管と、上記前面パネルにおける上記受像管の下方に備えられたキートップと、同キートップにて押下可能なタクトスイッチが実装されるともに筐体内部にて底辺に対して略平行に保持されるプリント基板とを備えるテレビジョンキャビネットにおいて、
幅方向に略垂直となるように上記底面から立設した矩形板状の第一のリブ板対と、同第一のリブ板対に形成され開口部が内側に向けて対向し上記プリント基板の幅方向端面を外側から挟み込む略コの字状の第一のレール対とで構成され、所定幅の上記プリント基板をガイドして上記底辺に対して所定の高さで保持する第一のガイド部材対と、上記第一のリブ板対の幅方向外側もしくは同じ位置において幅方向に略垂直となるように上記底面から立設した矩形板状の第二のリブ板対と、同第二のリブ板対に形成され開口部が内側に向けて対向し上記プリント基板の幅方向端面を外側から挟み込む略コの字状の第二のレール対とで構成され、当該第二のリブ板対の一方は上記第一のガイド部材対を構成する上記第一のリブ板対の一方と共通し、上記プリント基板をガイドして上記底辺に対して上記第一のガイド部材よりも高い位置で上記プリント基板を保持する第二のガイド部材対と、上記第一のガイド部材対の内側に形成され、同上記第一のガイド部材対に保持された上記プリントを下方から支持する補強リブとを備え、上記キートップには、上記第一のガイド部材対および上記第二のガイド部材対に保持された上記プリント基板に実装された厚みが薄い上記タクトスイッチいずれにも、それぞれの先端から所定の距離まで厚みが薄く形成された当接部が対峙する一対の押下板が背面に向けて突設され、同キートップが上記前面パネルに対して傾動することにより、いずれのタクトスイッチも押下可能である構成としてある。
【０００６】
上記のように構成した請求項１の発明において、テレビジョンキャビネットの前面パネルの上部に保持される受像管が、同前面パネルから表示面を露出させる。上記前面パネルの上記受像管の下方においてキートップが備えられる。上記テレビジョンキャビネットの内部にはプリント基板が底面に対して略平行に保持され、同プリント基板には上記キートップによって押下可能なタクトスイッチが実装される。
【０００７】
第一のガイド部材対は、幅方向に略垂直となるように上記底面から立設した矩形板状の第一のリブ板対と、同第一のリブ板対に形成され開口部が内側に向けて対向し上記プリント基板の幅方向端面を外側から挟み込む略コの字状の第一のレール対とで構成される。そして、第一のガイド部材対は、上記プリント基板をガイドして上記底辺に対して所定の高さで保持する。
【０００８】
同様に、第二のガイド部材対も、幅方向に略垂直となるように上記底面から立設した矩形板状の第二のリブ板対と、同第二のリブ板対に形成され開口部が内側に向けて対向し上記プリント基板の幅方向端面を外側から挟み込む略コの字状の第二のレール対とで構成される。そして、第二のガイド部材対は、上記プリント基板をガイドして上記底辺に対して上記第一のガイド部材よりも高い位置で保持する。従って、第二のガイド部材対によって保持される上記プリント基板は、上記第一のガイド部材対よりも上記底辺に対して高い位置にあるため、当該プリント基板と上記第一のガイド部材対が干渉することはない。
【０００９】
また、上記第一のリブ板対の幅方向外側もしくは同じ位置において上記底面から立設される上記第二のリブ板対の一方は、上記第一のリブ板対の一方と共通する。すなわち、共通させられた当該第一のリブ板対の一方には、上記第一のレール対の一方と、上記第二のレール対の一方とが形成される。このようにすることにより、上記第二のリブ板対の一方を形成しなくて済むため、上記テレビジョンキャビネットの構造を簡素化させることができる。また、上記第一のガイド部材対の幅方向外側もしくは同じ位置おいて第二のガイド部材対が形成されるため、第二のガイド部材対に保持される上記プリント基板は、第一のガイド部材対に保持される上記プリント基板よりも幅が大きいか同じ幅となる。従って、上記テレビジョンキャビネットの設計変更をすることなく二種類の幅の上記プリント基板を保持することができる。
【００１０】
一方、上記キートップには一対の押下板が背面に向けて形成され、それぞれの先端には先端から所定の距離まで厚みが薄く形成された当接部が形成される。そして、上記一対の押下板の一方に形成された上記当接部は上記第一のガイド部材対に保持された上記プリント基板に実装された厚みが薄い上記タクトスイッチに対峙するとともに、上記一対の押下板のもう一方に形成された上記当接部は上記第二のガイド部材対に保持された上記プリント基板に実装された厚みが薄い上記タクトスイッチに対峙する。また、上記キートップは上記前面パネルに対して傾動可能であり、この傾動に伴って上記当接部が変位することにより、上記タクトスイッチが押し下げられる。
【００１１】
また、上記補強リブが上記プリント基板を下方から支持するため、上記第一のガイド部材対に保持された上記プリント基板が上記タクトスイッチの押し下げとともに下方に撓むことが防止される。従って、確実に上記タクトスイッチの押し下げることができる。
【００１２】
すなわち、上記第一のガイド部材対または上記第二のガイド部材対のいずれに上記プリント基板が保持されたとしても、上記テレビジョンキャビネットの設計変更をすることなく上記タクトスイッチを押し下げることが可能となる。また、上記当接部は厚みが薄く形成され、上記タクトスイッチも厚みが薄いため、上記第一のガイド部材対に保持される上記プリント基板と、上記第二のガイド部材対に保持される上記プリント基板との高さ方向の間隔を狭めても、上記当接部と上記プリント基板が干渉しない。従って、上記受像管の下方において高さ方向のスペースが少ない上記テレビジョンキャビネットにおいても適用することができる。
【００１３】
また、請求項２にかかる発明は、前面パネルに備えられたキートップと、同キートップにて押下可能なタクトスイッチが実装されるともに、筐体内部にて底面に対して略平行に保持されるプリント基板とを備える電気機器のキャビネットにおいて、
所定幅の上記プリント基板の幅方向両端で対となって同プリント基板をガイドして上記底面に対して所定の高さで保持する第一のガイド部材対と、上記第一のガイド部材対の幅方向外側もしくは同じ位置に設けられるとともに、上記プリント基板の幅方向両端で対となって同プリント基板をガイドして上記底辺に対して上記第一のガイド部材よりも高い位置で上記プリント基板を保持する第二のガイド部材対とを備え、上記キートップは、上記第一のガイド部材対および上記第二のガイド部材対に保持されたいずれの上記プリント基板に実装された上記タクトスイッチも押下可能である構成としてある。
【００１４】
上記のように構成した請求項２の発明において、上記前面パネルにおいてキートップが備えられる。上記電気機器のキャビネットの内部にはプリント基板が底面に対して略平行に保持され、同プリント基板には上記キートップによって押下可能なタクトスイッチが実装される。
【００１５】
第一のガイド部材対は所定幅の上記プリント基板の幅方向両端で対となって形成され、上記プリント基板をガイドして上記底辺に対して所定の高さで保持する。同様に、上記第一のガイド部材対の幅方向外側もしくは同じ位置おいて第二のガイド部材対も、所定幅の上記プリント基板の幅方向両端で対となって形成され、上記プリント基板をガイドして上記底辺に対して所定の高さで保持する。第二のガイド部材対によって保持される上記プリント基板は、上記第一のガイド部材対よりも上記底辺に対して高い位置にあるため、当該プリント基板と上記第一のガイド部材対が干渉することはない。上記第一のガイド部材対の幅方向外側もしくは同じ位置おいて第二のガイド部材対が形成されるため、第二のガイド部材対に保持される上記プリント基板は、第一のガイド部材対に保持される上記プリント基板よりも幅が大きいか同じ幅となる。従って、上記電気機器のキャビネットの設計変更をすることなく二種類の幅の上記プリント基板を保持することができる。
【００１６】
一方、上記キートップは、上記第一のガイド部材対に保持された上記プリント基板に実装された上記タクトスイッチを押し下げ可能であるとともに、上記第二のガイド部材対に保持された上記プリント基板に実装された上記タクトスイッチを押し下げ可能である。すなわち、上記第一のガイド部材対または上記第二のガイド部材対のいずれに上記プリント基板が保持されたとしても、上記電気機器のキャビネットの設計変更をすることなく上記タクトスイッチを押し下げることが可能となる。
【００１７】
さらに、請求項３に記載の発明は、上記キートップには上記第一のガイド部材対および上記第二のガイド部材対に保持されたいずれの上記プリント基板に実装された上記タクトスイッチにそれぞれの先端に形成された当接部が対峙する一対の押下板が背面に向けて突設され、同キートップが上記前面パネルに対して傾動することにより、いずれのタクトスイッチも押下可能である構成としてある。
【００１８】
上記のように構成した請求項３の発明において、上記キートップには一対の押下板が背面に向けて形成され、それぞれの先端には当接部が形成される。そして、上記一対の押下板の一方に形成された上記当接部は上記第一のガイド部材対に保持された上記プリント基板に実装された上記タクトスイッチに対峙するとともに、上記一対の押下板のもう一方に形成された上記当接部は上記第二のガイド部材対に保持された上記プリント基板に実装された上記タクトスイッチに対峙する。また、上記キートップは上記前面パネルに対して傾動可能であり、この傾動に伴って上記当接部が変位することにより、上記タクトスイッチが押し下げられる。
【００１９】
また、請求項４に記載の発明は、上記当接部は先端から所定の距離まで厚みが薄く形成されている構成としてある。
上記のように構成した請求項４の発明において、上記当接部は厚みが薄く形成されたいるため、上記プリント基板と干渉しにくくなる。従って、上記第一のガイド部材対に保持される上記プリント基板と、上記第二のガイド部材対に保持される上記プリント基板との高さ方向の間隔を狭くすることができる。また、上記押下板の全体の厚みを薄く形成しないため上記押下板の剛性は確保される。従って、上記押下板が撓んでしまうことにより、上記タクトスイッチの押し下げが不確実となることが防止できる。
【００２０】
さらに、請求項５に記載の発明は、上記タクトスイッチは、厚みが薄く形成されている構成としてある。
上記のように構成した請求項５の発明において、上記タクトスイッチは厚みが薄く形成されたいるため、上記第一のガイド部材対に保持される上記プリント基板と、上記第二のガイド部材対に保持される上記プリント基板との高さ方向の間隔を狭くすることができる。
【００２１】
さらに、請求項６に記載の発明は、上記第一のガイド部材対および上記第二のガイド部材対は、幅方向に略垂直となるように上記底面から立設した矩形板状の第一および第二のリブ板対と、同各リブ板対において、開口部が内側に向けて対向し上記プリント基板の幅方向端面を外側から挟み込む略コの字状の第一および第二のレール対とを具備する構成としてある。
上記のように構成した請求項６の発明において、上記第一のガイド部材対および上記第二のガイド部材対は、それぞれ上記底面から立設し幅方向に略垂直な矩形板状の第一および第二のリブ板対を備える。また、上記第一のガイド部材対および上記第二のガイド部材対は、それぞれ同各リブ板対において開口部が内側に向けて対向し上記プリント基板の幅方向端面を外側から挟み込む略コの字状の第一および第二のレール対を備える。すなわち、上記プリント基板を上記底面に対して所定の高さでガイドし保持させることができる。
【００２２】
また、請求項７に記載の発明は、上記第二のリブ板対の一方は、上記第一の上記リブ板対の一方と共通する構成としてある。
上記のように構成した請求項７の発明において、上記第二のリブ板対の一方を形成しなくて済むため、上記電機機器のキャビネットの構造を簡素化させることができる。
【００２３】
また、請求項８に記載の発明は、上記第一のガイド部材対の内側には、同上記第一のガイド部材対に保持された上記プリントを下方から支持する補強リブが備えられる構成としてある。
上記のように構成した請求項８の発明において、上記補強リブが上記プリント基板を下方から支持するため、上記第一のガイド部材対に保持された上記プリント基板が上記タクトスイッチの押し下げとともに下方に撓むことが防止される。従って、確実に上記タクトスイッチの押し下げることができる。
【００２４】
また、請求項９に記載の発明は、上記第一のガイド部材対の上端部には上記第二のガイド部材対に保持された上記プリント基板を下から支持する凸部が形成される構成としてある。
上記のように構成した請求項９の発明において、上記第二のガイド部材対に保持された上記プリント基板は下方から上記凸部によって支持される。従って、上記第二のガイド部材対に保持された上記プリント基板が上記タクトスイッチの押し下げとともに下方に撓むことが防止される。また、上記第一のガイド部材対は上記第二のガイド部材対より内側に位置するため、上記凸部を形成するための専用部材を上記第二のガイド部材対の内側に設ける必要がない。従って、上記電機機器のキャビネットの構造を簡素化させることができる。
【発明の効果】
【００２５】
請求項１にかかる発明によれば、プリント基板の幅が変更されても、設計変更をする必要がないテレビジョンキャビネットを提供することができる。
請求項２にかかる発明によれば、プリント基板の幅が変更されても、設計変更をする必要がない電気機器のキャビネットを提供することができる。
請求項３にかかる発明では、プリント基板の幅が変更されても、キートップの設計変更をしなくても良くすることができる。
【００２６】
請求項４にかかる発明では、高さ方向のスペースを確保することができるとともに、確実にタクトスイッチを押し下げることができる。
請求項５にかかる発明では、高さ方向のスペースを確保することができる。
請求項６にかかる発明では、簡易な構造でプリント基板を保持させることができる。
請求項７にかかる発明では、構造を簡素化させることができる。
請求項８にかかる発明では、確実にタクトスイッチを押し下げることができる。
請求項９にかかる発明では、確実にタクトスイッチを押し下げることができるとともに、構造を簡素化させることができる。
【発明を実施するための最良の形態】
【００２７】
以下、下記の順序に従って本発明の実施の形態について説明する。
（１）テレビジョンキャビネットの構成：
（２）キートップの動作：
【００２８】
（１）テレビジョンキャビネットの構成：
図１は本発明にかかるテレビジョンキャビネット１０を前方から見て示している。同図において、テレビジョンキャビネット１０の前面には上部に受像管４０の表示面を前方に露出させるための開口１１ａが設けられた前面パネル１１が設けられている。受像管４０は表示面を開口１１ａを介して前方に露出させつつ本体部分はテレビジョンキャビネット１０の筐体内部に収容されている。前面パネル１１における受像管４０の下方にはテレビジョンの主電源をＯＮ／ＯＦＦさせるための略円形の押し込み式キートップ１３が備えられている。
【００２９】
かかる構成により、受像管４０の表示面に映し出される映像を前方から見ることが可能となるとともに、キートップ１３を奥方に押し込むことによりテレビジョンの主電源をＯＮ／ＯＦＦさせることが可能となる。
【００３０】
図２は、テレビジョンキャビネット１０の内部を斜めから見て示している。同図において、底面を構成する略板状の底面板１２が、前面パネル１１と前方端部にて略直交しており、底面板１２から上方に向けてガイド部材２０ａ，２０ｂ，２０ｃと補強リブ２０ｄが立設されている。また、ガイド部材２０ａ，２０ｂ，２０ｃおよび補強リブ２０ｄの上方には破線で示す受像管４０の本体部が保持されており、受像管４０とガイド部材２０ａ，２０ｂ，２０ｃおよび補強リブ２０ｄとは干渉しないようになっている。ガイド部材２０ａ，２０ｂ，２０ｃおよび補強リブ２０ｄはテレビジョンキャビネット１０の幅方向に対して略垂直になるように形成されており、底面板１２における前方部分から奥方部分にわたって長く形成されている。
【００３１】
図３は、底面板１２を奥方から見て示している。同図において、ガイド部材２０ａ，２０ｂ，２０ｃは、それぞれ底面板１２に対して略直交するリブ板２０ａ３，２０ｂ３，２０ｃ３を備えている。リブ板２０ａ３における上端部には略コの字状のレール２０ａ２が形成され、その下方には略コの字状のレール２０ａ１が形成されている。リブ板２０ｂ３における上端部には略コの字状のレール２０ｂ２が形成されており、リブ板２０ｃ３における上端部には略コの字状のレール２０ｃ１が形成されている。リブ板２０ａ３とリブ板２０ｃ３との間隔はｗ１となっており、これらのそれぞれに形成されたレール２０ａ１とレール２０ｃ１の底面板１２からの高さはともにｈ１となっている。また、レール２０ａ１とレール２０ｃ１は互いに幅方向内側に向かって開口しており、実線で示すプリント基板３０の幅方向両端を外側から挟み込んで保持することが可能となっている。リブ板２０ａ３とリブ板２０ｃ３の内側における幅方向略中央部には、底面板１２に略直交する補強リブ２０ｄが形成されており、補強リブ２０ｄの高さはプリント基板３０より所定量低く形成されている。
【００３２】
一方、リブ板２０ａ３とリブ板２０ｂ３との間隔はｗ２となっており、これらのそれぞれに形成されたレール２０ａ２とレール２０ｂ２は互いに幅方向内側に向かい合って開口している。このレール２０ａ２およびレール２０ｂ２の底面板１２からの高さはともにｈ２となっている。また、リブ板２０ａ３とリブ板２０ｃ３との間隔はｗ１となっており、これらのそれぞれに形成されたレール２０ａ１とレール２０ｃ１は互いに幅方向内側に向かって開口している。このレール２０ａ１およびレール２０ｃ１の底面板１２からの高さはともにｈ１となっている。２０ａ２およびレール２０ｂ２の底面板１２からの高さｈ２は、これらの幅方向内側に設けられたガイド部材２０ｃよりも高くなっている。
【００３３】
かかる構成により、テレビジョンキャビネット１０は、レール２０ａ１とレール２０ｃ１によって幅ｗ１を有するプリント基板を保持できるとともに、レール２０ａ２とレール２０ｂ２によって幅ｗ２を有するプリント基板も保持することができる。このように、幅の異なるプリント基板を保持することが可能になると、プリント基板３０の仕様に応じて毎回テレビジョンキャビネット１０の設計を変更する必要はなくなる。例えば、幅がｗ１である幅狭なプリント基板３０はモノラル音声のみが出力可能な仕様であり、幅がｗ２である幅広なプリント基板１３０はステレオ音声も出力可能な仕様であった場合、幅狭なプリント基板３０を備える廉価版のテレビジョンと、幅広なプリント基板１３０を備える上位機種とは共通のテレビジョンキャビネット１０で形成することができる。すなわち、テレビジョンキャビネット１０に取り付けるプリント基板を選択すれば、機構的にはいずれかの機種に切り換えることができる。
【００３４】
リブ板２０ａ３には、幅狭なプリント基板３０を保持するためのレール２０ａ２と、幅広なプリント基板１３０を保持するためのレール２０ａ１を高さを変えてともに形成している。すなわち、レール２０ａ２とレール２０ａ１とを形成するためのリブ板を共通化させている。従って、個別にレール２０ａ２とレール２０ａ１を設ける場合よりも、テレビジョンキャビネット１０の構造を簡素化させることができる。
（２）キートップの動作：
以上説明したように、本発明にかかるテレビジョンキャビネット１０は備えられるプリント基板の幅の変更に柔軟に対応することができる。さらに、本発明においては、キートップの設計変更をすることなく、幅の異なるプリント基板にそれぞれが実装されたタクトスイッチを押し下げることが可能となっている。図３において、タクトスイッチ３０ａが実装されレール２０ａ１，２０ｃ１に保持された幅狭なプリント基板３０が保持される高さはｈ１となっており、破線で示すタクトスイッチ１３０ａが実装されレール２０ａ２，２０ｂ２に保持された幅広なプリント基板１３０が保持される高さはｈ２となっている。すなわち、幅狭なプリント基板３０と幅広なプリント基板１３０とは異なる高さで保持されることとなる。むろん、幅狭なプリント基板３０の上面に実装されたタクトスイッチ３０ａと、幅広なプリント基板１３０の上面に実装されたタクトスイッチ１３０ａとは必然的に高さが異なることとなる。
【００３５】
図４は、キートップ１３の断面を見て示している。同図において、キートップ１３は前方に凸となる略ドーム状に形成されており、奥方に向かって互いに平行な略板状の押下板１３ａ，１３ｂがそれぞれ形成されている。上方に形成された押下板１３ａの当接部１３ａ１は破線で示すプリント基板１３０に実装されたタクトスイッチ１３０ａの上方まで到達している。当接部１３ａ１は先端から所定の長さだけ厚みが薄く形成されており、タクトスイッチ１３０ａと所定の間隔を隔てて対峙している。
【００３６】
同様に、下方に形成された押下板１３ｂの当接部１３ｂ１は実線で示すプリント基板３０に実装されたタクトスイッチ３０ａの上方まで到達している。当接部１３ｂ１は先端から所定の長さだけ厚みが薄く形成されており、タクトスイッチ３０ａと所定の間隔を隔てて対峙している。タクトスイッチ３０ａ，１３０ａは、上方の小径部が下方に押下可能となっており、同小径部が降下させることにより電源のＯＮ／ＯＦＦ状態を切り換えることができる。また、タクトスイッチ３０ａ，１３０ａは、厚みが薄く形成されている。
【００３７】
キートップ１３は上端において前面パネル１１と分断されており、下端において前面パネル１１と肉薄部１３ｃを介して接合している。このようにすることにより、キートップ１３を前面から押圧することにより、キートップ１３は上端を自由端とし、肉薄部１３ｃを軸として傾動することが可能となっている。
【００３８】
図５は、キートップ１３を前方から押圧している状態を示している。同図において、キートップ１３は上端が奥方に変位するように傾動しており、同時に押下板１３ａ，１３ｂは当接部１３ａ１，１３ｂ１が下方に変位するように傾斜させられている。そして、当接部１３ａ１に対峙していたタクトスイッチ１３０ａは当接部１３ａ１の下降とともに小径部が下方に押し下げられている。同様に、当接部１３ｂ１に対峙していたタクトスイッチ３０ａは当接部１３ｂ１の下降とともに小径部が下方に押し下げられている。
【００３９】
かかる構成により、単一のキートップ１３であっても、上側に保持されるプリント基板１３０のタクトスイッチ１３０ａと、下側に保持されるプリント基板３０のタクトスイッチ３０ａをともに押し下げることが可能となる。すなわち、幅ｗ１を有するプリント基板から幅ｗ２を有するプリント基板に差し替えた場合であっても、キートップ１３の設計変更をすることなく対応することができる。
【００４０】
本発明において、プリント基板３０とプリント基板１３０とはいずれか一方を保持することができればよい。従って、プリント基板３０には破線で示すプリント基板１３０に干渉する高さのコンデンサ３０ｂが実装されているが、これは問題とならない。テレビジョンキャビネットにおいて上部に受像管が備えられる場合が多く、プリント基板を実装するためのスペースは多く確保することはできない。従って、プリント基板３０とプリント基板１３０との高さ方向の間隔は可能な限り小さくすることが好ましい。
【００４１】
下方の当接部１３ｂ１がプリント基板１３０に干渉するとプリント基板１３０を保持させたときにキートップ１３の正常な傾動の妨げとなる。この場合、上方の当接部１３ａ１がタクトスイッチ１３０ａを正常に押圧することができない。従って、コンデンサ３０ｂ等とは異なり、下方の当接部１３ｂ１がプリント基板１３０に干渉することは許容されない。本発明においては、タクトスイッチ３０ａ，１３０ａを厚みの薄いものにするとともに、これらに対峙する当接部１３ａ１，１３ｂ１も厚みが薄く形成されている。従って、最も厚みを必要とするタクトスイッチ３０ａ，１３０ａと当接部１３ａ１，１３ｂ１とが高さ方向に並ぶ部位の厚みを薄く形成することができる。押下板１３ａ，１３ｂにおいて厚みが薄く形成される部位は、先端から所定距離までの当接部１３ａ１，１３ｂ１のみであるため、押下板１３ａ，１３ｂ全体の剛性が低下してタクトスイッチ１３０ａ，３０ａの押し下げ不十分となることが防止されている。
【００４２】
コンデンサ３０ｂ，１３０ｂはプリント基板３０，１３０の下面にて半田付けすることにより実装されている。コンデンサ３０ｂの半田部３０ｂ１より所定量下方に補強リブ２０ｄの上端が到達している。このようにすることにより、プリント基板３０に不意に負荷がかかった場合やタクトスイッチ３０ａを押し下げた場合にも、プリント基板３０の幅方向の中央部が下方に撓んでしまうことが防止できる。また、プリント基板１３０の所定量下方には、山状突起２０ｃ４がガイド部材２０ｃから上方に突設されている。ここで、ガイド部材２０ｃが配設される位置は、プリント基板１３０を保持するガイド部材２０ａとガイド部材２０ｂより幅方向内側となっている。従って、プリント基板１３０に不意に負荷がかかった場合やタクトスイッチ１３０ａを押し下げた場合にも、プリント基板１３０の幅方向の中央部が下方に撓んでしまうことが防止できる。
【００４３】
以上説明したように、本発明においては、幅の異なるプリント基板３０，１３０を保持するガイド部２０ａ，２０ｂ，２０ｃをそれぞれ高さを変えて形成することにより、ガイド部２０ａ，２０ｂ，２０ｃと干渉することなくプリント基板３０，１３０のいずれかを保持することが可能である。さらに、同一のキートップ１３でプリント基板３０，１３０に実装されたタクトスイッチ３０ａ，１３０ａを押し下げることが可能である。従って、幅の異なるプリント基板３０，１３０を相互に差し替えても、テレビジョンキャビネット１０はキートップ１３も含めて全く設計変更することなく対応することができる。
【図面の簡単な説明】
【００４４】
【図１】テレビジョンキャビネットの正面図である。
【図２】テレビジョンキャビネットの内部背面を示す斜視図である。
【図３】底面板の背面図である。
【図４】キートップの断面図である。
【図５】キートップの断面図である。
【符号の説明】
【００４５】
１０…テレビジョンキャビネット
１１…前面パネル
１１ａ…開口
１２…底面板
１３…キートップ
１３ａ，１３ｂ…押下板
１３ａ１，１３ｂ１…当接部
１３ｃ…肉薄部
２０ａ，２０ｂ，２０ｃ…ガイド部材
２０ａ１，２０ａ２，２０ｂ２，２０ｃ１…レール
２０ａ３，２０ｂ３，２０ｃ３…リブ板
２０ｃ４…突起
２０ｄ…補強リブ
３０，１３０…プリント基板
３０ａ，１３０ａ…タクトスイッチ
３０ｂ，１３０ｂ…コンデンサ
３０ｂ１，１３０ｂ１…半田部
４０…受像管
【図１】
2005079292.tif 000003
【図２】
2005079292.tif 000004
【図３】
2005079292.tif 000005
【図４】
2005079292.tif 000006
【図５】
2005079292.tif 000007